(57)【要約】【課題】  簡単な構成で、異なる伝送レートの信号を単一の受信機で混在受信した場合の相関ピークの誤検出を防ぎ、各伝送レートに応じた同期捕捉を行うことができる同期捕捉回路を提供する。【解決手段】  マッチドフィルタ部１′からの部分相関信号に基づいて、ＭＳＢ側の３つの部分相関信号が、ＬＳＢ側の部分相関信号と同等のピークを備えているかどうかを判断する相関ピーク２次判定部６を備え、相関ピーク２次判定部６が、ＭＳＢ側の部分相関信号がＬＳＢ側の部分相関信号と同等のピークを備えていないと判断した場合には、相関ピーク検出部２′に誤検出通知信号を出力し、相関ピーク検出部２′は、マッチドフィルタ部１′からの出力に基づいてピークを検出しても、誤検出信号が入力された場合には、制御部３に相関ピーク検出通知信号を出力しない同期捕捉回路としている。【選択図】        図１
2009302900.tif 000002
【特許請求の範囲】
【請求項１】
異なる伝送レートの送信信号を混在受信する受信機において用いられ、
受信信号に拡散符号を乗算し、前記拡散符号の複数のブロック毎に相関検出する複数の部分相関検出部を備え、前記複数の部分相関検出部からの部分相関信号を積算して相関値データを生成して出力するマッチドフィルタ部と、
前記マッチドフィルタ部からの相関値データに基づいて相関ピークを検出すると同期捕捉したことを示す相関ピーク検出信号を出力する相関ピーク検出部とを備えた同期捕捉回路であって、
前記マッチドフィルタ部が、送信信号の拡散符号長周期が短いモードの時には、ＬＳＢ側の部分相関検出部のみに受信信号を入力して有効な部分相関検出信号を出力すると共に、ＭＳＢ側の部分相関検出部の部分相関検出信号を無効とし、拡散符号長周期が長いモードの時には、拡散符号長周期に応じてＭＳＢ側の部分相関検出部にも受信信号を入力して有効な部分相関検出信号を出力し、
前記マッチドフィルタ部の複数の部分相関検出部からの部分相関信号に基づいて、全ての部分相関信号において同程度のピークが発生しているかどうかを判定し、全ての部分相関信号において同程度のピークが発生していない場合に、前記相関ピーク検出部に誤検出通知信号を出力する相関ピーク２次判定部を備え、
前記相関ピーク検出部が、前記相関ピーク２次判定部から誤検出通知信号が入力された場合には、相関ピークを検出しても相関ピーク検出信号を出力しないことを特徴とする同期捕捉回路。
【請求項２】
相関ピーク２次判定部が、ＬＳＢ側の部分相関検出部からの部分相関検出信号におけるピーク値に基づいてしきい値を算出し、
ＭＳＢ側の複数の部分相関検出部からの部分相関信号におけるピーク値の積算値と前記しきい値とを比較して、前記積算値の方が小さい場合に誤検出通知信号を出力することを特徴とする請求項１記載の同期捕捉回路。
【請求項３】
相関ピーク検出部が、相関ピーク２次判定部に、マッチドフィルタ部からの出力に基づいて相関ピークを検出するとピーク検出信号を出力し、ピーク検出１ビット区間が終了するとピーク検出１ビット区間通知信号を出力し、
相関ピーク２次判定部が、前記ピーク検出信号のタイミングで複数の部分相関検出部からの部分相関信号のピーク値をラッチする複数のラッチ回路と、
前記タイミング毎にＭＳＢ側の複数のラッチ回路からのピーク値を積算してＭＳＢ側積算値を出力するＭＳＢ側積算部と、
前記タイミング毎にＬＳＢ側のラッチ回路からのピーク値にパラメータを乗算してしきい値を算出するしきい値算出部と、
前記ＭＳＢ側積算値と前記しきい値とを比較して、前記ＭＳＢ側積算値が前記しきい値よりも小さい時に比較結果として「１」を出力する比較部と、
前記ピーク検出１ビット区間通知信号が入力されると、前記比較部からの比較結果を参照し、「１」であれば誤検出通知信号を出力する判定部とを備えたことを特徴とする請求項１又は２記載の同期捕捉回路。
【請求項４】
パラメータが、通信環境に応じて設定されることを特徴とする請求項３記載の同期捕捉回路。
【請求項５】
拡散符号周期が５１２チップ長周期の送信信号と、１２８チップ長周期の送信信号とを混在受信する受信機において用いられ、
マッチドフィルタ部が、ＭＳＢ側から順に１２８チップ毎に部分相関信号を出力する第１〜第４の部分相関検出部を備え、
ラッチ回路が、それぞれ前記第１〜第４の部分相関検出部からの部分相関信号のピーク値をラッチする第１〜第４のラッチ回路であり、
ＭＳＢ側積算部が、ＭＳＢ側の前記第１〜第３のラッチ回路からのピーク値を積算してＭＳＢ側積算値を出力し、
しきい値算出部が、ＬＳＢ側の第４のラッチ回路からのピーク値にパラメータを乗算してしきい値を算出することを特徴とする請求項３又は４記載の同期捕捉回路。
【発明の詳細な説明】
【技術分野】
【０００１】
本発明は、スペクトラム拡散通信の受信機に用いられる同期捕捉回路に係り、特に異なる伝送レートの信号を単一の受信機で混在受信した場合の相関ピークの誤検出を防ぎ、各伝送レートに応じた同期捕捉を行うことができる同期捕捉回路に関する。
【背景技術】
【０００２】
［先行技術の説明］
一次変復調方式にＤＢＰＳＫ（Differential Binary Phase Shift Keying）を用い、二次変調方式にスペクトラム拡散（Spread Spectrum:ＳＳ）を用いた双方向の無線通信モジュールがキーレスエントリーシステム等に用いられている。
キーレスエントリーシステムの無線通信モジュールにおいては、子機からの送信により通信が開始される。そのため、親機は間欠的に受信動作を行い、子機からのデータ受信を待ち受ける。
【０００３】
ここで、ＳＳ通信における伝送レートと過拡散符号長周期の関係について図６を用いて説明する。図６は、ＳＳ通信における伝送レートと過拡散符号長周期の関係を示す説明図である。
ＳＳ通信では、拡散レート（38.4735kHz）を一定として、１bit データに対して拡散符号長を変えることにより伝送レートを変化させるようになっており、例えば、拡散符号長が５１２チップ長では、７５bps（38.4735/512≒75bps）となる。また、２５６チップ長では、１５０bps（38.4735/256≒150bps）となる。
このようにして拡散符号長を変えることにより、図６に示すように、７５，１５０，３００，６００，１．２ｋ，２．４ｋ，４．８ｋ，９．６ｋ，１９．２ｋｂｐｓの伝送レートに対応可能となっている。
【０００４】
各伝送レートに使用する拡散符号は、最大５１２チップの拡散符号のＬＳＢから２５６，１２８，…２チップを切り出して使用する。
また、伝送レートが低いほど通信距離は長くなり、通信時間も長くなるため、用途に応じて伝送レートを変え、利用者のニーズに柔軟に対応するようにしている。例えば、リモートキーレスエントリーシステムや、スマートキーのように、通信時間は長くてもより遠くの相手と通信したい場合には伝送レートを低く設定し、逆に、エンジンスタータや各種センサーネットワークのように、通信距離は短くてよいができるだけ速く情報のやりとりがしたい場合には伝送レートを高く設定する。
各無線モジュールにおける伝送レートは、外部からのコマンド指定により、親機及び子機にそれぞれ設定しておく。従って親機と子機とで異なる伝送レートを設定してしまった場合には、通信を行うことができない。
【０００５】
そのため、１つの受信機を用いて異なる伝送レートでの通信を行うには、タイマー監視により時間によって伝送レートの設定を変える方法や、予め設定された伝送レートで一旦通信を成立させてから、当該通信のやりとりを介して別の伝送レートに変更する方法があった。
しかしながら、タイマ監視の制御が煩雑であったり、通信の途中で伝送レートを変更するとレスポンスが遅くなったりするという問題点があった。
【０００６】
［同期捕捉処理］
ここで、受信機における同期捕捉について説明する。
［伝送データフォーマット：図７］
まず、送信機から送信される伝送データのフォーマットについて図７を用いて説明する。図７は、伝送データのフォーマットを示す模式説明図である。
図７に示すように、伝送データは、プリアンブルと、同期ワードと、データとから構成される。
プリアンブルは、間欠受信を行っている受信機が、キャリア周波数ズレ量の検出及びその補正や、相関ピーク検出、同期捕捉処理を行うためのデータである。
同期ワードは、次に続くデータ送信を知らせるための同期ワード情報である。
データは、送信側から伝送しようとする所望のユーザデータである。
そして、プリアンブルデータは、受信機の間欠受信の受信窓（時間窓）に少なくとも１回はかかるデータ長とする必要がある。
【０００７】
［間欠受信時の動作：図８］
受信機における間欠受信時の動作について図８を用いて説明する。図８は、受信機における間欠受信時の動作を示す模式説明図である。
図８（ａ）に示すように、受信機は、通常は一定の周期で特定の時間だけ受信動作をＯＮにする間欠受信を行っている。間欠受信の受信動作を行う区間を受信窓又は時間窓と称する。受信窓の周期が間欠受信周期となる。
そして、図８（ｂ）に示すように、受信窓における受信動作として、毎回、受信機は、キャリア周波数ズレ検出と、相関ピーク検出及び同期捕捉の処理を行う。
【０００８】
［データ受信時の動作：図９］
データ受信時の動作について図９を用いて説明する。図９は、受信機におけるデータ受信時の動作を示す模式説明図である。
図９に示すように、受信側（親機）は、間欠受信をしており、相関ピークが検出されなければそのまま間欠受信を終了する。送信側（子機）から、プリアンブル・同期ワード・データから成る伝送データが送信され、間欠受信の受信窓においてプリアンブルを受信すると、受信機は相関ピークを検出して、引き続き受信窓を開き、同期捕捉を行う。そして、受信機は、プリアンブルに続き同期ワードを受信して同期ワード検出を行い、ユーザデータを受信する。
【０００９】
［伝送レートによる違い：図１０］
伝送レートによる伝送データ及び受信動作の違いについて図１０を用いて説明する。図１０は、伝送レートによる伝送データ及び受信動作の違いを示す模式説明図であり、（ａ）は高伝送レート（ｂ）は低伝送レートの場合を示している。尚、それぞれ上段は受信側の間欠受信動作、下段は送信側からの伝送データを示している。
図１０（ａ）に示すように、高伝送レートモードの場合には、速いレスポンスが求められるため、受信側の間欠受信の受信時間及び間欠受信周期が短くなっている。
また、図１０（ｂ）に示すように、低伝送レートモードでは、それほど速いレスポンスは必要ではないため、間欠周期を長く取ることができるが、１ｂｉｔ相当のデータ長が長くなるため、一回の間欠受信時間を長くしなければならない。
【００１０】
［同期捕捉回路：図１１］
次に、受信機における従来の同期捕捉回路について図１１を用いて説明する。図１１は、従来の同期捕捉回路の構成ブロック図である。
図１１に示すように、従来の同期捕捉回路は、マッチドフィルタ部１と、相関ピーク検出部２と、制御部３と、拡散符号生成部４と、メモリ５とを備えている。
上記構成の同期捕捉回路においては、予め制御部３から符号生成パラメータを与えることにより、拡散符号生成部４において送信機と同じ拡散符号を生成し、メモリ５に記憶しておく。
【００１１】
そして、キャリア復調された受信データが入力されると、マッチドフィルタ部１では、メモリ５に記憶された拡散符号を用いて逆拡散を行って相関検出し、マッチドフィルタ部１から出力された相関検出データに基づいて相関ピーク検出部２がピーク検出を行い、ピークが検出されると、制御部へ相関ピーク検出通知信号を出力する。相関ピーク検出通知信号が同期捕捉信号となる。
尚、制御部３は、マッチドフィルタ部１と、相関ピーク検出部２に対して、動作オン／オフ、及び伝送モードの指定を行う。
［先行技術文献］
尚、相関ピーク検出に関する先行技術としては、特開２０００−１８３７８５号公報（特許文献１）、特開２００３−２１８７３９号公報（特許文献２）、特開２００３−２４４０９７号公報（特許文献３）がある。
【００１２】
特許文献１には、ＣＤＭＡ伝送方式のパスサーチ回路において、複数のマッチドフィルタによる部分相関値と各相関値での相関ピーク数を検出し、各部分相関値の平均相関値で遅延プロファイルを作成することにより、フェージングによる最大のレベルを有するパスの誤検出を回避することが記載されている。
【００１３】
また、特許文献２には、タイミング捕捉・オフセット補正方法において、少なくとも２つの相関ピークを求めて、いずれが最強の相関ピークを与えるかを判定することが記載されている。
【００１４】
また、特許文献３には、スペクトル拡散受信装置において、最大相関ピーク検出タイミングを含む第１期間と、最大相関ピーク検出タイミングを含まない第２期間に分け、第１期間の相関出力信号の最大ピークレベル（第１ピークレベル）と、第１ピーク位置と、第２期間の相関出力信号の最大ピークレベル（第２ピークレベル）と、第２ピーク位置を求め、これらに基づいて受信データを得ることが記載されている。
【００１５】
【特許文献１】特開２０００−１８３７８５号公報
【特許文献２】特開２００３−２１８７３９号公報
【特許文献３】特開２００３−２４４０９７号公報
【発明の開示】
【発明が解決しようとする課題】
【００１６】
［混在受信：図１２］
ところで、異なる伝送レートの信号を同一の受信機で受信しようとする試みがある。このような混在受信を行う場合、制御部３からの指示で、受信側の伝送レートを切り替えて設定し、受信動作を行うことが考えられる。
１２８チップ長周期のデータと、５１２チップ長周期のデータとを受信する場合の混在受信処理について図１２を用いて説明する。図１２は、非混在受信と混在受信とを比較した模式説明図である。
図１２（ａ）に示すように、非混在受信時、すなわち伝送レートに応じた別々の受信機で受信する場合には、それぞれの周期に基づいて１２８チップ長モードと、５１２チップ長モードの受信窓を開いて間欠受信動作を行い、それぞれ相関ピークを検出する。
【００１７】
また、図１２（ｂ）に示すように、混在受信時には、１２８チップ長周期の受信動作４回毎に、１回の５１２チップ長周期の受信動作を行うものであり、１２８チップ長周期の時間窓で受信した場合には１２８チップ長周期の相関ピークを検出し、５１２チップ長周期の時間窓で受信した場合には５１２チップ長周期の相関ピークを検出する。
【００１８】
そして、マッチドフィルタ部１及び相関ピーク検出部２には、制御部３から、１２８チップ長モードで動作するか５１２チップ長モードで動作するかを指定する指示（伝送モード指定信号）が入力され、当該指示に応じて動作を切り替えるようになっている。
制御部３は、５１２チップ長モード及び１２８チップ長モードでの間欠受信タイミングを制御しており、５１２チップ長モードの受信窓をオンにするタイミングでは５１２チップ長モードを指定する伝送モード指定信号を出力し、１２８チップ長モードの受信窓をオンにするタイミングでは１２８チップ長モードを指定する伝送モード指定信号を出力する。
【００１９】
［マッチドフィルタ部：図１３］
図１１に示した同期捕捉回路におけるマッチドフィルタ部１の具体的な構成について図１３を用いて具体的に説明する。図１３は、異なる伝送レートの信号を受信することを想定したマッチドフィルタ部１の構成を示す構成ブロック図である。
図１３に示すように、マッチドフィルタ部１は、直交検波され８倍オーバーサンプリングされた受信信号のＩ成分（同相成分）とＱ成分（直交成分）のそれぞれについて、移動平均フィルタ（Ｎ＝８）１１と、マルチプレクサ１２と、８個毎５１２ブロックに分割されたＦＦ（Flip Flop）（タップ）１３と、８個のＦＦ１３毎に設けられた乗算器１４-1〜１４-512と、１２８タップ毎に設けられた部分積算部１５-1〜１５-4、絶対値化演算部１６-1〜１６-4と、更に積算部１７とが設けられている。尚、ここではＱ成分側のマッチドフィルタ回路の構成は図示を省略しているが、Ｉ成分側と同じ構成となっている。
【００２０】
移動平均フィルタ（Ｎ＝８）１１は、８サンプルのデータを平均した移動平均値を出力する。尚、図示は省略するが、移動平均フィルタ１１からの出力端には、移動平均フィルタ１１からの出力をマルチプレクサ１２又はマルチプレクサ１８に切り替えるスイッチが設けられており、図１１に示した制御部３からの伝送モード指定信号の指示に従って切り替えられる。
【００２１】
マルチプレクサ１２は、制御部３からの伝送モード指定信号の指示に従って、移動平均フィルタ１１からのデータ又は“０”データを出力する。
ＦＦ１３は、入力されたサンプルを１サンプル時間ホールドして出力する。
乗算器１４は、ＦＦ１３の８個毎に出力される移動平均値にチップ毎に対応する拡散コードを乗算して逆拡散する。拡散コードは上述したメモリ５に記憶されている。
部分積算部１５は、１２８チップ分の乗算器１４からの出力を全て加算する。
【００２２】
絶対値化演算部１６は、Ｉ成分の部分積算部１５とＱ成分の部分積算部から出力された値に基づいて√（Ｉ2＋Ｑ2）の演算を行って相関値データを算出する。すなわち、絶対値化演算部１６は、１２８チップ分の部分相関値データを算出する。
積算部１７は、４つの絶対値化演算部１６からの相関値データを積算し、サンプル時間毎の相関値データを算出して出力する。
マルチプレクサ１８は、制御部３からの伝送モード指定信号に従って、移動平均フィルタ１１からショートカットで入力されたデータ又はＭＳＢ（Most Significant Bit）側に隣接するＦＦ１３から入力されたデータを出力する。
尚、ＦＦ１３、乗算器１４、部分積算部１５、絶対値化演算部１６を合わせた部分が、請求項における「部分相関検出部」に相当している。
【００２３】
そして、上記マッチドフィルタ部では、拡散符号長周期が５１２チップ長（５１２チップ長モード）の場合、Ｉ成分とＱ成分のそれぞれについて、移動平均フィルタ（Ｎ＝８）１１が８サンプルの移動平均値を出力し、ＦＦ１３がサンプルタイミング毎に移動平均値をホールドし、乗算器１４が移動平均値をブロック毎に（移動平均値８個毎に）拡散コードと乗算して逆拡散し、部分積算部１５が１２８チップ分の乗算結果を全て加算して積算し、絶対値化演算部１６が４分割の部分相関データを算出し、積算部１７が部分相関データを積算してサンプル時間毎の相関値データを出力するようになっている。
【００２４】
［伝送モードの違いによる処理の違い：図１４，図１５］
上記マッチドフィルタにおいて、５１２チップ長モードと１２８チップ長モードでの処理の違いについて図１４及び図１５を用いて説明する。図１４は、５１２チップ長モードにおける受信データの流れを示す模式説明図であり、図１５は、１２８チップ長モードにおける受信データの流れを示す模式説明図である。
図１４に示すように、５１２チップ長モードの場合、制御部３からの、５１２チップ長モードを指定する伝送モード指定信号により、マルチプレクサ１２は移動平均フィルタ１１から入力されたデータを出力し、マルチプレクサ１８は隣接するＦＦ１３から入力されたデータを出力する。
すなわち、５１２チップ長モードでは、受信データは全てのＦＦ１３に順次入力され、絶対値化演算部１６-1から１６-4で４分割の有効な部分相関が算出された後、積算部１７で積算されて相関値データが出力される。
【００２５】
また、図１５に示すように、拡散符号長周期が１２８チップ長（１２８チップ長モード）の場合、制御部３からの１２８チップ長モードを指定する伝送モード指定信号により、移動平均フィルタ１１からの出力はショートカットでＬＳＢ側のマルチプレクサ１８に入力され、マルチプレクサ１８は移動平均フィルタ１１から入力されたデータを出力すると共に、マルチプレクサ１２は“０”データを出力する。
すなわち、１２８チップ長モードでは、ＬＳＢ（Least Significant Bit）側の１２８個のＦＦ１３にのみ受信データが入力されて、絶対値化演算部１６-4で有効な相関データが算出される一方、ＭＳＢ側の３×１２８個のＦＦ１３には全て“０”が入力されるのでＭＳＢ側の３個の部分相関データは無効となる。積算部１７からは絶対値化演算部１６-4からの出力がそのまま相関値データとして出力される。
【００２６】
［相関ピーク検出部における処理］
図１１に示した相関ピーク検出部２における処理について簡単に説明する。
相関ピーク検出部２では、マッチドフィルタ部１から出力された相関値データに対して、１ｂｉｔ区間毎の相関値の最大値をモニタし、最大値となった時間をフリーランカウンタ値としてラッチしておく。
そして、所定の受信期間（例えば８ｂｉｔ分）内に３ｂｉｔ連続でカウンタ値が一致した場合（ある程度の幅は持たせておく）に、当該相関ピーク検出結果の信憑性が高いと判断して、相関ピーク検出信号を制御部２へ出力する。
このようにして相関ピーク検出部における処理が行われる。
【００２７】
［混在受信時の動作］
ここで、異なる伝送レートの信号を同一の受信機で受信する際の動作について説明する。ここでは、５１２チップ長モードと１２８チップ長モードの信号を混在受信する場合の動作について説明する。
【００２８】
［５１２チップ長モードで送信した場合：図１６］
図１６は、５１２チップ長モードと１２８チップ長モードの信号を混在受信している際に、送信機が５１２チップ長モードで送信した場合の模式説明図である。
図１６に示すように、受信機は、５１２チップ長モードと１２８チップ長モードの間欠受信を行っている。
そこへ送信機が５１２チップ長モードの伝送データを送信すると、受信側では、まず、１２８チップ長モードの時間窓Ｗ１で受信がＯＮとなり、プリアンブルを受信する。しかし、時間窓Ｗ１では時間が短すぎてプリアンブルデータが１／４しか受信できず、１／４ｂｉｔ分しか相関が得られないため、相関ピークは検出されない。
【００２９】
続いて、時間窓Ｗ２、Ｗ３での受信動作を行うが、同様にそれぞれ１／４ｂｉｔ分の相関しか得られず、１２８チップ長モードでの相関ピークは検出されない。
そして、５１２チップ長モードの時間窓Ｗ４での受信動作を行うと、１ｂｉｔ分のプリアンブルを受信して正常に相関ピークを検出する。つまり、５１２チップ長モードで送信された場合には正常に５１２チップ長モードの相関ピークが検出されて、誤って１２８チップ長モードの相関ピークを検出してしまうことはない。
【００３０】
［部分相関結果、最終相関結果：図１７］
混在受信において、５１２チップ長モードの送信データを受信した場合の部分相関結果及び最終相関結果について図１７を用いて説明する。図１７は、混在受信において、５１２チップ長モードの送信データを受信した場合の部分相関結果及び最終相関結果を示す説明図である。
上述したように、混在受信時でも５１２チップ長モードの送信データは正常に５１２チップ長モードの時間窓で受信されるので、（ａ）〜（ｄ）に示すように絶対値化演算部１６-1〜１６-4における部分相関結果１〜部分相関結果４はほぼ同様の相関ピークを備えた検出結果となり、積算部１７でそれらを全て積算した最終相関結果は、（ｅ）に示すように（ａ）〜（ｅ）のピーク値を足し合わせたピークが得られる。そして、この相関値データを相関ピーク検出部２に出力して、正しいピーク検出が為されるものである。
【００３１】
［１２８チップ長モードで送信した場合：図１８］
次に、１２８チップ長モードで送信した場合について図１８を用いて説明する。図１８は、５１２チップ長モードと１２８チップ長モードの信号を混在受信時に、送信機が１２８チップ長モードで送信した場合の模式説明図である。
図１８に示すように、受信機は、図１６の場合と同様に５１２チップ長モードと１２８チップ長モードの間欠受信を行っており、そこへ送信機が１２８チップ長モードでデータを送信する。
【００３２】
例えば、１２８チップ長モードの時間窓Ｗ５で受信できればよいが、図１８のように５１２チップ長モードの時間窓Ｗ６で受信した場合、相関ピーク検出部２は、５１２チップ長モードでピーク検出を行うので、誤検出が発生するおそれがある。
【００３３】
［誤検出の例：図１９、図２０］
具体的な誤検出の例について図１９及び図２０を用いて説明する。図１９は、絶対値化演算部１６-1〜１６-4から出力される部分相関結果を示す説明図であり、図２０は、図１９の部分相関結果から得られる最終相関結果を示す説明図である。
上述したように、１２８チップ長モードで送信されたデータを５１２チップ長モードの時間窓Ｗ６で受信した場合、マッチドフィルタ部１におけるＬＳＢ側の１２８チップ分に相当する「部分相関検出部」で使用される逆拡散用の拡散コードは、送信データに用いられる拡散コードと同じであるため、図１９（ｄ）に示すように絶対値化演算部１６-4からの相関演算結果は１２８チップ長周期の相関ピークが得られる有効な値となる。しかしながら、ＭＳＢ側の３×１２８チップ分に相当する「部分相関検出部」で使用される逆拡散用の拡散コードは、送信データに用いられる拡散コードとは異なるため、絶対値化演算部１６-1〜１６-3からの相関演算結果には、図１９（ａ）〜（ｃ）に示すように、ピークは得られない。
【００３４】
そして、図２０に示すように、積算部１７からの出力（最終相関結果）は、図１９の（ａ）〜（ｄ）を積算したものとなる。
これを、相関値データとしてピーク検出部２に出力した場合、ピーク検出部２は５１２チップ長モードでピーク検出を行うので、発生する１２８チップ長周期のピークのうち、４本に１本の割合で、つまり図中で印を付けたピークを５１２チップ長周期１ｂｉｔ毎のピークと判断してしまうおそれがある。
【００３５】
そして、誤判断したことにより、図１８に示した５１２チップ長周期の時間窓Ｗ６の後で１２８チップ長周期の時間窓Ｗ７のタイミングになっても、既にピーク検出しているので、１２８チップ長モードでの受信を行わず、受信データを取りこぼしてしまうおそれがあるという問題点があった。
【００３６】
本発明は上記実状に鑑みて為されたもので、簡単な構成で、異なる伝送レートの信号を単一の受信機で混在受信した場合の相関ピークの誤検出を防ぎ、各伝送レートに応じた同期捕捉を行うことができる同期捕捉回路を提供することを目的とする。
【課題を解決するための手段】
【００３７】
上記従来例の問題点を解決するための本発明は、異なる伝送レートの送信信号を混在受信する受信機において用いられ、受信信号に拡散符号を乗算し、拡散符号の複数のブロック毎に相関検出する複数の部分相関検出部を備え、複数の部分相関検出部からの部分相関信号を積算して相関値データを生成して出力するマッチドフィルタ部と、マッチドフィルタ部からの相関値データに基づいて相関ピークを検出すると同期捕捉したことを示す相関ピーク検出信号を出力する相関ピーク検出部とを備えた同期捕捉回路であって、マッチドフィルタ部が、送信信号の拡散符号長周期が短いモードの時には、ＬＳＢ側の部分相関検出部のみに受信信号を入力して有効な部分相関検出信号を出力すると共に、ＭＳＢ側の部分相関検出部の部分相関検出信号を無効とし、拡散符号長周期が長いモードの時には、拡散符号長周期に応じてＭＳＢ側の部分相関検出部にも受信信号を入力して有効な部分相関検出信号を出力し、マッチドフィルタ部の複数の部分相関検出部からの部分相関信号に基づいて、全ての部分相関信号において同程度のピークが発生しているかどうかを判定し、全ての部分相関信号において同程度のピークが発生していない場合に、相関ピーク検出部に誤検出通知信号を出力する相関ピーク２次判定部を備え、相関ピーク検出部が、相関ピーク２次判定部から誤検出通知信号が入力された場合には、相関ピークを検出しても相関ピーク検出信号を出力しないことを特徴としている。
【００３８】
また、本発明は、上記同期捕捉回路において、相関ピーク２次判定部が、ＬＳＢ側の部分相関検出部からの部分相関検出信号におけるピーク値に基づいてしきい値を算出し、ＭＳＢ側の複数の部分相関検出部からの部分相関信号におけるピーク値の積算値としきい値とを比較して、積算値の方が小さい場合に誤検出通知信号を出力することを特徴としている。
【００３９】
また、本発明は、上記同期捕捉回路において、相関ピーク検出部が、相関ピーク２次判定部に、マッチドフィルタ部からの出力に基づいて相関ピークを検出するとピーク検出信号を出力し、ピーク検出１ビット区間が終了するとピーク検出１ビット区間通知信号を出力し、相関ピーク２次判定部が、ピーク検出信号のタイミングで複数の部分相関検出部からの部分相関信号のピーク値をラッチする複数のラッチ回路と、タイミング毎にＭＳＢ側の複数のラッチ回路からのピーク値を積算してＭＳＢ側積算値を出力するＭＳＢ側積算部と、タイミング毎にＬＳＢ側のラッチ回路からのピーク値にパラメータを乗算してしきい値を算出するしきい値算出部と、ＭＳＢ側積算値としきい値とを比較して、ＭＳＢ側積算値がしきい値よりも小さい時に比較結果として「１」を出力する比較部と、ピーク検出１ビット区間通知信号が入力されると、比較部からの比較結果を参照し、「１」であれば誤検出通知信号を出力する判定部とを備えたことをしている。
【００４０】
また、本発明は、上記同期捕捉回路において、パラメータが、通信環境に応じて設定されることを特徴としている。
【００４１】
また、本発明は、上記同期捕捉回路において、拡散符号周期が５１２チップ長周期の送信信号と、１２８チップ長周期の送信信号とを混在受信する受信機において用いられ、マッチドフィルタ部が、ＭＳＢ側から順に１２８チップ毎に部分相関信号を出力する第１〜第４の部分相関検出部を備え、ラッチ回路が、それぞれ第１〜第４の部分相関検出部からの部分相関信号のピーク値をラッチする第１〜第４のラッチ回路であり、ＭＳＢ側積算部が、ＭＳＢ側の第１〜第３のラッチ回路からのピーク値を積算してＭＳＢ側積算値を出力し、しきい値算出部が、ＬＳＢ側の第４のラッチ回路からのピーク値にパラメータを乗算してしきい値を算出することを特徴としている。
【発明の効果】
【００４２】
本発明によれば、異なる伝送レートの送信信号を混在受信する受信機において用いられ、受信信号に拡散符号を乗算し、拡散符号の複数のブロック毎に相関検出する複数の部分相関検出部を備え、複数の部分相関検出部からの部分相関信号を積算して相関値データを生成して出力するマッチドフィルタ部と、マッチドフィルタ部からの相関値データに基づいて相関ピークを検出すると同期捕捉したことを示す相関ピーク検出信号を出力する相関ピーク検出部とを備えた同期捕捉回路であって、マッチドフィルタ部が、送信信号の拡散符号長周期が短いモードの時には、ＬＳＢ側の部分相関検出部のみに受信信号を入力して有効な部分相関検出信号を出力すると共に、ＭＳＢ側の部分相関検出部の部分相関検出信号を無効とし、拡散符号長周期が長いモードの時には、拡散符号長周期に応じてＭＳＢ側の部分相関検出部にも受信信号を入力して有効な部分相関検出信号を出力し、マッチドフィルタ部の複数の部分相関検出部からの部分相関信号に基づいて、全ての部分相関信号において同程度のピークが発生しているかどうかを判定し、全ての部分相関信号において同程度のピークが発生していない場合に、相関ピーク検出部に誤検出通知信号を出力する相関ピーク２次判定部を備え、相関ピーク検出部が、相関ピーク２次判定部から誤検出通知信号が入力された場合には、相関ピークを検出しても相関ピーク検出信号を出力しない同期捕捉回路としているので、実際の送信信号の拡散符号長周期と受信側の拡散符号長周期とが一致しておらず、全ての部分相関信号に同等のピークが得られていない時には、同期捕捉を検出しないようにすることができ、異なる伝送レートの信号を単一の受信機で受信した場合の相関ピークの誤検出を防ぎ、各伝送レートに応じた同期捕捉を行うことができる効果がある。
【００４３】
また、本発明によれば、上記同期捕捉回路において、相関ピーク２次判定部が、ＬＳＢ側の部分相関検出部からの部分相関検出信号におけるピーク値に基づいてしきい値を算出し、ＭＳＢ側の複数の部分相関検出部からの部分相関信号におけるピーク値の積算値としきい値とを比較して、積算値の方が小さい場合に誤検出通知信号を出力する同期捕捉回路としているので、簡単な演算で、相関ピークの誤検出を判定し、誤って同期捕捉するのを防ぐことができる効果がある。
【００４４】
また、本発明によれば、上記同期捕捉回路において、相関ピーク検出部が、相関ピーク２次判定部に、マッチドフィルタ部からの出力に基づいて相関ピークを検出するとピーク検出信号を出力し、ピーク検出１ビット区間が終了するとピーク検出１ビット区間通知信号を出力し、相関ピーク２次判定部が、ピーク検出信号のタイミングで複数の部分相関検出部からの部分相関信号のピーク値をラッチする複数のラッチ回路と、タイミング毎にＭＳＢ側の複数のラッチ回路からのピーク値を積算してＭＳＢ側積算値を出力するＭＳＢ側積算部と、タイミング毎にＬＳＢ側のラッチ回路からのピーク値にパラメータを乗算してしきい値を算出するしきい値算出部と、ＭＳＢ側積算値としきい値とを比較して、ＭＳＢ側積算値がしきい値よりも小さい時に比較結果として「１」を出力する比較部と、ピーク検出１ビット区間通知信号が入力されると、比較部からの比較結果を参照し、「１」であれば誤検出通知信号を出力する判定部とを備えた同期捕捉回路としているので、簡単な構成及び処理により、相関ピークの誤検出を判定し、誤って同期捕捉するのを防ぐことができる効果がある。
【００４５】
また、本発明によれば、上記同期捕捉回路において、パラメータが、通信環境に応じて設定される同期捕捉回路としているので、通信環境を考慮して相関ピークの誤検出を判定することができる効果がある。
【００４６】
また、本発明によれば、上記同期捕捉回路において、拡散符号周期が５１２チップ長周期の送信信号と、１２８チップ長周期の送信信号とを混在受信する受信機において用いられ、マッチドフィルタ部が、ＭＳＢ側から順に１２８チップ毎に部分相関信号を出力する第１〜第４の部分相関検出部を備え、ラッチ回路が、それぞれ第１〜第４の部分相関検出部からの部分相関信号のピーク値をラッチする第１〜第４のラッチ回路であり、ＭＳＢ側積算部が、ＭＳＢ側の第１〜第３のラッチ回路からのピーク値を積算してＭＳＢ側積算値を出力し、しきい値算出部が、ＬＳＢ側の第４のラッチ回路からのピーク値にパラメータを乗算してしきい値を算出する同期捕捉回路としているので、５１２チップ長モードの受信モードで１２８チップ長周期の送信信号を受信した場合には、ＭＳＢ側の第１〜第３の部分相関検出部では無相関のためピークが立たず、ＭＳＢ側の第１〜第３のラッチ回路からのピーク値を積算したＭＳＢ側積算値は、ＬＳＢ側の第４のラッチ回路からのピーク値にパラメータを乗算したしきい値よりも小さくなるので、誤検出通知信号を出力することができ、１２８チップ長周期の送信信号を５１２チップ長周期と誤って同期検出してしまうのを防ぐことができる効果がある。
【発明を実施するための最良の形態】
【００４７】
［発明の概要］
本発明の実施の形態について図面を参照しながら説明する。
本発明の実施の形態に係る受信機は、マッチドフィルタ部における部分相関演算出力に基づいて、ＬＳＢ側の１つの部分相関演算のピーク値とＭＳＢ側の３個の部分相関演算のピーク値の総和とを比較し、ＭＳＢ側の３個の部分相関演算のピーク値出力の総和が、ＬＳＢ側の１つの部分相関演算に予め設定された定数を乗算した値よりも小さい場合に、ＭＳＢ側では有効な相関演算出力が得られていないと判断して、相関ピーク検出部に誤検出信号を出力するものであり、例えば１２８チップ長周期の送信データに対して５１２チップ長周期で相関ピークを検出してしまうといった相関ピークの誤検出を防ぐことができ、各伝送レートに応じた相関検出を行うことができるものである。
【００４８】
［本実施の形態に係る同期捕捉回路：図１］
図１は、本発明の実施の形態に係る同期捕捉回路の構成ブロック図である。
図１に示すように、本発明の実施の形態に係る同期捕捉回路（本同期捕捉回路）の基本的な構成は、図１１に示した従来の同期捕捉回路の構成とほぼ同様であり、マッチドフィルタ部１′と、相関ピーク検出部２′と、制御部３と、拡散符号生成部４と、メモリ５を備えており、本実施の形態に係る受信機の特徴として、相関ピーク２次判定部６を備えている。尚、マッチドフィルタ部１′の構成及び相関ピーク検出部２′の動作が従来とは一部異なっている。
【００４９】
上記構成部分の内、従来の同期捕捉回路と同じ部分は同様の動作を行うので説明を省略する。
本同期捕捉回路のマッチドフィルタ部１′の基本的な構成は、図１３に示した従来のマッチドフィルタ部とほぼ同様であるため、図１３を用いて説明するが、絶対値化演算部１６-1〜１６-4からの部分相関出力（部分相関信号）が、最終相関出力を得る積算部１７に出力されると共に、分岐して本回路の特徴部分である相関ピーク２次判定部６にも出力されるようになっている。
【００５０】
相関ピーク２次判定部６は、マッチドフィルタ部１′の絶対値化演算部１６-1〜１６-4から出力される部分相関出力に基づいて、ＭＳＢ側の３つの部分相関出力が、ＬＳＢ側の１つの部分相関出力と同等のピークを備えているかどうかを判断し、同等のピークを備えていない場合、誤検出であると判断して相関ピーク検出部２に誤検出通知信号を出力するものである。
【００５１】
相関ピーク検出部２′は、従来の相関ピーク検出部２と同様に、マッチドフィルタ部１′から出力された相関値データに対して、１ｂｉｔ区間毎の相関値の最大値をモニタし、最大値となった時間をフリーランカウンタ値としてラッチしておく。
そして、本同期捕捉回路の特徴として、所定の受信期間（例えば８ｂｉｔ分）内に３ｂｉｔ連続でカウンタ値がほぼ一致した場合で、且つ相関ピーク２次判定部６から誤検出通知信号が入力されない場合に、相関ピーク検出信号を制御部２へ出力する。
【００５２】
本同期捕捉回路の基本的な動作は図１１に示した従来の同期捕捉回路の動作と同様であり、キャリア復調された受信データは、マッチドフィルタ部１′において、メモリ５に記憶された拡散符号を用いて相関検出され、相関ピーク検出部２′が、マッチドフィルタ部１′から出力された相関検出データ及び相関ピーク２次判定部６からの誤検出通知信号に基づいてピーク検出を行って、ピークが検出されると、制御部へ相関ピーク検出通知信号を出力する。
【００５３】
［相関ピーク２次判定部：図２］
次に、本同期捕捉回路の特徴部分である相関ピーク２次判定部６の構成について図２を用いて説明する。図２は、相関ピーク２次判定部６の構成ブロック図である。
図２に示すように、相関ピーク２次判定部６は、ラッチ回路６１-1〜６１-4とＭＳＢ側積算部６２と、しきい値生成部６３と、比較部６４と、判定部６５とを備えている。
【００５４】
ラッチ回路６１-1〜６１-4は、それぞれ、マッチドフィルタ部１′の絶対値化演算部１６-1〜１６-4からの部分相関信号（１）〜（４）を入力して、相関ピーク検出部２′からピーク検出信号が入力されると、そのタイミングで各部分相関信号をラッチする。
ＭＳＢ側の３個のラッチ回路６１-1〜６１-3は、ラッチした部分相関値をＭＳＢ側積算部６２に出力する。
ＬＳＢ側のラッチ回路６１-4は、ラッチした部分相関値をしきい値生成部６３に出力する。
【００５５】
ＭＳＢ側積算部６２は、ＭＳＢ側のラッチ回路６１-1〜６１-3から入力された、ラッチされた部分相関値を全て加算し、比較部６４に出力する。
【００５６】
しきい値生成部６３は、ラッチ回路６１-4から入力されるＬＳＢ側の部分相関値と、制御部３から入力されるしきい値生成パラメータｋとを乗算してしきい値を生成し、比較部６４に出力する。ここでは、ＭＳＢ側積算部６２からの３つの部分相関値の積算値と比較するために、更に３倍した値をしきい値として出力するようにしている。
【００５７】
しきい値生成パラメータｋは、０＜ｋ＜１の値であり、通信環境等を考慮して外部から制御部に設定される値である。ｋの値は、予め実験的に最適なパラメータを求めて、制御部に記憶しておき、外部からの指示で選択するようにしてもよい。
【００５８】
しきい値は、上述したパラメータを用いた算出に限らず、一般的に用いられているピーク検出と同様の考え方に基づいて、ＭＳＢ側においてＬＳＢ側と同等の有効なピークが得られているか否かを判断できればよく、無相関のノイズをピークと検出しない程度のしきい値を設定すればよい。簡潔な単一しきい値を用いてもよいし、単一しきい値から各種条件を考慮して演算により算出して設定することも可能である。
【００５９】
比較部６４は、ＭＳＢ側積算部６２から入力されたＭＳＢ側積算値と、しきい値生成部６３から入力されたしきい値とを比較し、比較結果を判定部６５に出力する。本同期捕捉回路では、ＭＳＢ側積算部６２からの積算値が、しきい値生成部６３からのしきい値以上であれば比較結果「０」を出力し、しきい値よりも小さい場合に比較結果「１」を出力する。
【００６０】
本同期捕捉回路では、比較部６４における比較によって、ＭＳＢ側の３つの絶対値化演算部１６-1〜１６-3からの部分相関信号が、ＬＳＢ側の絶対値化演算部１６-4からの部分相関信号と同等の相関結果を持っているか、つまり、ＭＳＢ側においてＬＳＢ側と同等の十分なピーク値が得られているかどうかをチェックするものである。
【００６１】
判定部６５は、ピーク検出１ｂｉｔ区間通知信号が入力されると、比較部６４からの比較結果に基づいて、誤検出通知信号を出力する。ピーク検出１ｂｉｔ区間通知信号のタイミングで比較部６４からの比較結果が「１」であれば「１」の誤検出通知信号を出力し、「０」であれば誤検出通知信号を出力しない。
【００６２】
すなわち、本同期捕捉回路では、実際の送信信号の拡散符号長周期と受信側の拡散符号長周期とが一致しないことにより全ての部分相関信号に同等のピークが得られていない時には、誤検出であると判定して、誤検出通知信号を出力することにより、相関ピーク検出部からの同期捕捉を通知させないようにしているものである。
【００６３】
［相関ピーク２次判定部の動作：図３］
次に、相関ピーク２次判定部の動作について図３を用いて説明する。図３は、相関ピーク２次判定部の動作例を示す動作タイミング説明図である。図３では、５１２チップ長の受信窓で１２８チップ長データを受信した場合の動作を示している。
図３（ａ）に示すように、相関ピーク検出部２′から、ピーク検出を行う区間を指定するピーク検出１ｂｉｔ区間通知信号が出力される。
（ｂ）に示すように、絶対値化演算部１６-4から部分相関信号（ＬＳＢ側）がラッチ回路６１-4に入力される。ここで、ＭＳＢ側の絶対値化演算部１６-1〜１６-3からは有効な相関ピークを持たない部分相関信号が各ラッチ回路６１に入力されている（図示省略）。
【００６４】
そして、（ｃ）に示すように、マッチドフィルタ部１′からの出力に基づいて相関ピーク検出部２′から相関ピーク検出信号が入力されると、（ｄ）に示すように、ラッチ回路６１-4は、当該タイミングで部分相関信号をラッチする。そして、ピーク値が更新されると、Ｈｉｇｈ（Ｈｉ）パルスを出力する。
【００６５】
（ｅ）に示すように、比較部６４は、ＭＳＢ側積算部６２からの積算値と、しきい値生成部６３からのしきい値とを比較し、図３の例では、比較結果として、積算値がしきい値よりも小さいとして「１」を出力する。
比較部６４からの比較結果は判定部６５に入力され、（ｆ）に示すように、ピーク検出１ｂｉｔ区間通知信号が入力されると、判定部６５は、（ｅ）の比較結果に基づいて誤検出通知信号を出力する。図３の例では「１」を出力する。
【００６６】
そして、相関ピーク検出部２′は、誤検出通知信号「１」が入力された場合には、制御部３に対して相関ピーク検出通知信号を出力しないものである。これにより、１２８チップ長データの相関検出結果に基づいて５１２チップ長周期のピークを誤検出するのを防ぐことができるものである。
【００６７】
次に、本同期捕捉回路における相関検出例について図４，５を用いて説明する。図４は、本同期捕捉回路における誤検出時のピーク検出例を示す説明図であり、図５は、正常検出時のピーク検出例を示す説明図である。
図４（ａ）（ｂ）（ｃ）は、ＭＳＢ側の絶対値化演算部１６-1〜１６-3から入力される部分相関信号であり、（ｄ）はＬＳＢ側の絶対値化演算部１６-4からの部分相関信号であり、（ｅ）は積算部１７から出力される最終的な相関値データである。
【００６８】
（ｅ）に示すように、マッチドフィルタ部１′からの相関値データに基づいて相関ピーク検出部２′が相関ピークを検出して、相関ピーク２次判定部６にピーク検出信号を出力すると、上述したように、ラッチ回路６１-1〜６１-4は、それぞれ、ピーク検出信号のタイミングでpp11〜pp14、pp21〜pp24、pp31〜pp34、pp41〜pp44のピーク値をラッチする。
【００６９】
そして、ＭＳＢ側積算部６２では、ピーク検出信号のタイミング毎に、（ａ）（ｂ）（ｃ）で示した３つのピーク値を積算し（pp11＋pp21＋pp31〜pp14＋pp24＋pp34）、ＭＳＢ側積算値（pp1x+p2x+pp3x，x=1〜4）を比較部６４に出力する。
【００７０】
一方、しきい値生成部６３は、ピーク検出信号のタイミング毎に、ラッチ回路６１-4から出力されたpp41〜pp44のピーク値と、予め設定されたしきい値生成パラメータｋを用いて、pp4x×ｋ×３の値を算出し、しきい値として比較部６４に出力する。
【００７１】
比較部６４は、ＭＳＢ側積算値としきい値とを比較し、しきい値のほうが大きい、すなわち、(pp1x+p2x+pp3x)＜pp4x×ｋ×３であると判断して比較結果「１」を出力する。
判定部６５は、ピーク検出１ｂｉｔ区間通知信号が入力されたタイミングで比較結果を参照し、「１」であるから誤検出通知信号「１」を出力する。
そして、相関ピーク検出部２′は、誤検出通知信号が入力されたことにより、制御部３へ相関ピーク検出通知信号を出力しない。これにより、誤検出を無くすことができるものである。
【００７２】
［実施の形態の効果］
本発明の実施の形態に係る同期捕捉回路によれば、マッチドフィルタ部１′の絶対値化演算部１６-1〜１６-4からの部分相関信号に基づいて、ＭＳＢ側の絶対値化演算部１６-1〜１６-3からの部分相関信号が、ＬＳＢ側の絶対値化演算部１６-4からの部分相関信号と同等のピークを備えているかどうかを判断する相関ピーク２次判定部６を備え、相関ピーク２次判定部６が、ＭＳＢ側の部分相関信号がＬＳＢ側の部分相関信号と同等のピークを備えていないと判断した場合には、相関ピーク検出部２′に誤検出通知信号を出力し、相関ピーク検出部２′は、３ビット連続でピークを検出しても、誤検出信号が入力された場合には、制御部３に相関ピーク検出通知信号を出力しないようにしているので、例えば５１２チップ長の受信窓で１２８チップ長データを受信した場合に５１２チップ長周期のピークを誤検出してしまうのを防ぐことができ、異なる伝送レートの信号を混在受信した場合にも伝送レートに応じた相関検出を行うことができる効果がある。
【００７３】
また、本同期捕捉回路によれば、相関ピーク２次判定部６が、相関ピーク検出部２′からのピーク検出信号のタイミングに基づいて、絶対値化演算部１６-1〜１６-4から部分相関信号のピーク値pp11〜pp14、pp21〜pp24、pp31〜pp34、pp41〜pp44をラッチし、ＭＳＢ側積算部６２が、タイミング毎にＭＳＢ側の部分相関信号のピーク値を積算してＭＳＢ側積算値（pp1x＋pp2x＋pp3x，x=1〜4）を算出し、しきい値生成部６３が、タイミング毎にＬＳＢ側の部分相関信号のピーク値pp41〜pp44と予め設定されたしきい値生成パラメータｋとに基づいて、しきい値（pp4x×ｋ×３，x=1〜4）を算出し、比較部６４が、ＭＳＢ側積算値としきい値とを比較して、ＭＳＢ側積算値が小さい場合に比較結果「１」を判定部６５に出力し、判定部６５が、ピーク検出１ビット区間通知信号のタイミングで比較結果を参照して、「１」であれば誤検出通知信号を相関ピーク検出部２′に出力するようにしているので、ピーク検出タイミング毎にＭＳＢ側のピーク値がＬＳＢ側と比較して、相関ピーク検出部２′に１ビット区間毎に判定結果を出力し、１ビット区間毎に相関ピークの誤検出を通知することができる効果がある。
【００７４】
また、ここでは５１２チップ長モードと１２８チップ長モードについて説明したが、他の伝送レートであっても、相関ピーク２次判定部が、ＬＳＢ側の有効な部分相関信号と、ＭＳＢ側の部分相関信号とを比較して同等のピークが得られていない場合には誤検出信号を出力するよう制御することで、誤った伝送レートでの同期捕捉を行ってしまうのを防ぐことができる効果がある。
【産業上の利用可能性】
【００７５】
本発明は、異なる伝送レートの信号を単一の受信機で混在受信した場合の相関ピークの誤検出を防ぎ、各伝送レートに応じた同期捕捉を行うことができる同期捕捉回路に適している。
【図面の簡単な説明】
【００７６】
【図１】本発明の実施の形態に係る同期捕捉回路の構成ブロック図である。
【図２】相関ピーク２次判定部６の構成ブロック図である。
【図３】相関ピーク２次判定部の動作例を示す動作タイミング説明図である。
【図４】本同期捕捉回路における誤検出時のピーク検出例を示す説明図である。
【図５】本同期捕捉回路における正常検出時のピーク検出例を示す説明図である。
【図６】ＳＳ通信における伝送レートと過拡散符号長周期の関係を示す説明図である。
【図７】伝送データのフォーマットを示す模式説明図である。
【図８】受信機における間欠受信時の動作を示す模式説明図である。
【図９】受信機におけるデータ受信時の動作を示す模式説明図である。
【図１０】伝送レートによる伝送データ及び受信動作の違いを示す模式説明図である。
【図１１】従来の同期捕捉回路の構成ブロック図である。
【図１２】非混在受信と混在受信とを比較した模式説明図である。
【図１３】異なる伝送レートの信号を受信することを想定したマッチドフィルタ部１の構成を示す構成ブロック図である。
【図１４】５１２チップ長モードにおける受信データの流れを示す模式説明図である。
【図１５】１２８チップ長モードにおける受信データの流れを示す模式説明図である。
【図１６】５１２チップ長モードと１２８チップ長モードの信号を混在受信している際に、送信機が５１２チップ長モードで送信した場合の模式説明図である。
【図１７】混在受信において、５１２チップ長モードの送信データを受信した場合の部分相関結果及び最終相関結果を示す説明図である。
【図１８】５１２チップ長モードと１２８チップ長モードの信号を混在受信時に、送信機が１２８チップ長モードで送信した場合の模式説明図である。
【図１９】絶対値化演算部１６-1〜１６-4から出力される部分相関結果を示す説明図である。
【図２０】図１９の部分相関結果から得られる最終相関結果を示す説明図である。
【符号の説明】
【００７７】
１，１′…マッチドフィルタ部、  ２，２′…相関ピーク検出部、  ３…制御部、  ４…拡散符号生成部、  ５…メモリ、  ６…相関ピーク２次判定部、  １１…移動平均フィルタ、  １２…マルチプレクサ、  １３…ＦＦ、  １４…乗算器、  １５…部分積算部、  １６…絶対値化演算部、  １７…積算部、  １８…マルチプレクサ、  ６１…ラッチ回路、  ６２…ＭＳＢ側積算部、  ６３…しきい値生成部、  ６４…比較部、  ６５…判定部、
【図１】
2009302900.tif 000003
【図２】
2009302900.tif 000004
【図３】
2009302900.tif 000005
【図４】
2009302900.tif 000006
【図５】
2009302900.tif 000007
【図６】
2009302900.tif 000008
【図７】
2009302900.tif 000009
【図８】
2009302900.tif 000010
【図９】
2009302900.tif 000011
【図１０】
2009302900.tif 000012
【図１１】
2009302900.tif 000013
【図１２】
2009302900.tif 000014
【図１３】
2009302900.tif 000015
【図１４】
2009302900.tif 000016
【図１５】
2009302900.tif 000017
【図１６】
2009302900.tif 000018
【図１７】
2009302900.tif 000019
【図１８】
2009302900.tif 000020
【図１９】
2009302900.tif 000021
【図２０】
2009302900.tif 000022